【手続補正書】
【提出日】平成29年12月18日(2017.12.18)
【手続補正１】
【補正対象書類名】明細書
【補正対象項目名】０００６
【補正方法】変更
【補正の内容】
【０００６】
上記目的を達成するため、本発明の一態様の撮像装置は、
被写体を撮像し、画像データを取得する撮像手段と、
本撮像装置に関連する所定の箇所へのユーザ操作のパターンの情報を取得する情報取得手段と、
前記情報取得手段により取得された前記ユーザ操作のパターンの情報に基づき、前記撮像手段により撮像される被写体の撮影条件の変更を行う変更手段と、
前記情報取得手段によりユーザ操作のパターンを取得するための前記所定の箇所へのユーザ操作が解除されたか否かを判定する第１の判定手段と、
前記第１の判定手段により前記ユーザ操作が解除されたと判定された場合、前記変更手段により変更された撮影条件で前記撮像手段により取得された画像データを記録手段に記録させる記録制御手段と、
を備えたことを特徴とする。
【手続補正２】
【補正対象書類名】特許請求の範囲
【補正対象項目名】全文
【補正方法】変更
【補正の内容】
【特許請求の範囲】
【請求項１】
被写体を撮像し、画像データを取得する撮像手段と、
本撮像装置に関連する所定の箇所へのユーザ操作のパターンの情報を取得する情報取得手段と、
前記情報取得手段により取得された前記ユーザ操作のパターンの情報に基づき、前記撮像手段により撮像される被写体の撮影条件の変更を行う変更手段と、
前記情報取得手段によりユーザ操作のパターンを取得するための前記所定の箇所へのユーザ操作が解除されたか否かを判定する第１の判定手段と、
前記第１の判定手段により前記ユーザ操作が解除されたと判定された場合、前記変更手段により変更された撮影条件で前記撮像手段により取得された画像データを記録手段に記録させる記録制御手段と、
を備えたことを特徴とする撮像装置。
【請求項２】
本撮像装置に関連する所定の箇所へのユーザ操作を検出する検出手段と、
前記検出手段により検出された前記ユーザ操作のパターンを判定する第２の判定手段と、
を更に備え、
前記情報取得手段は、前記第２の判定手段により判定された前記ユーザ操作のパターンを前記ユーザ操作のパターンの情報として取得する、
ことを特徴とする請求項１に記載の撮像装置。
【請求項３】
前記第２の判定手段は、前記所定の箇所への前記ユーザ操作のパターンが、前記所定の箇所に対して、第１の方向へのスライド操作か当該第１の方向とは異なる第２の方向へのスライド操作であるかを判定する、
ことを特徴とする請求項２に記載の撮像装置。
【請求項４】
前記変更手段は、前記所定の箇所へのユーザ操作のパターンが、前記所定の箇所に対して、前記第１の方向と前記第２の方向との中間の方向へのスライド操作であった場合、前記第１の方向へのスライド操作と前記第２の方向へのスライド操作との夫々に対応した撮影条件を変更する、
ことを特徴とする請求項３に記載の撮像装置。
【請求項５】
前記変更手段は、前記第２の判定手段による前記所定の箇所への前記ユーザ操作のパターンの判定結果に基づいて、前記判定結果に対応した撮影条件を変更する、
ことを特徴とする請求項２乃至４の何れか１項に記載の撮像装置。
【請求項６】
前記変更手段は、変更される撮影条件としてズーム倍率、及び焦点距離を用いる、
ことを特徴とする請求項２乃至５の何れか１項に記載の撮像装置。
【請求項７】
前記変更手段は、前記所定の箇所内で前記ユーザ操作が前記検出手段により継続的に検出されている状態で当該所定の箇所内における前記ユーザ操作が前記検出手段により検出される位置の移動距離に応じた強さで、前記撮影条件を変更する、
ことを特徴とする請求項２乃至６の何れか１項に記載の撮像装置。
【請求項８】
前記撮像手段により逐次取得される被写体の画像データに対応するライブビュー画像を表示手段に表示させる表示制御手段と、
を更に備え、
前記検出手段は、更に、前記表示制御手段により前記ライブビュー画像が表示される前記表示手段が備える前記所定の箇所へのユーザ操作を検出する、
ことを特徴とする請求項２乃至７の何れか１項に記載の撮像装置。
【請求項９】
前記表示制御手段は、更に、前記変更手段によって撮影条件が変更される場合、当該撮影条件の情報を前記表示手段に表示させる、
ことを特徴とする請求項８に記載の撮像装置。
【請求項１０】
前記表示制御手段は、更に、前記撮影条件の情報として、前記変更される撮影条件の種類の名称と、前記変更される撮影条件の数値と、を前記表示手段に表示させる、
ことを特徴とする請求項８又は９に記載の撮像装置。
【請求項１１】
前記変更手段によって前記撮影条件が変更された後、前記検出手段により前記所定の箇所へ複数の指を用いたユーザ操作が検出されたか否かを判定する第３の判定手段と、
前記第３の判定手段により前記所定の箇所へ複数の指を用いたタッチ操作が検出されたと判定された場合、前記撮影条件を初期化する設定初期化手段を備える、
ことを特徴とする請求項２乃至１０の何れか１項に記載の撮像装置。
【請求項１２】
前記検出手段により検出されたユーザによる最初のタッチ位置を前記撮影条件を実施する位置とする、
ことを特徴とする請求項２乃至１１の何れか１項に記載の撮像装置。
【請求項１３】
前記記録制御手段は、更に前記第１の判定手段によって前記所定の箇所の特定の領域内でユーザ操作が解除されたと判定された場合、前記撮像手段によって撮像された画像データを記録手段に記録させない、
ことを特徴とする請求項１乃至１２の何れか１項に記載の撮像装置。
【請求項１４】
前記変更手段により撮影条件が変更された後、更に前記第１の判定手段によって前記所定の箇所の特定の領域内でユーザ操作が解除されたと判定された場合、変更された撮影条件を保持する設定保持手段を備える、
ことを特徴とする請求項１乃至１２の何れか１項に記載の撮像装置。
【請求項１５】
前記第１の判定手段は、前記所定の箇所におけるユーザ操作が停止されたか否かを判定し、
前記記録制御手段は、前記第１の判定手段により前記ユーザ操作が停止されたと判定された場合、前記変更手段により変更された撮影条件で前記撮像手段により取得された画像データを記録手段に記録させる、
ことを特徴とする請求項１乃至１４の何れか１項に記載の撮像装置。
【請求項１６】
被写体を撮像し、画像データを取得する撮像手段と、記録手段と、を備える撮像装置で実行される撮像制御方法であって、
本撮像装置に関連する所定の箇所へのユーザ操作のパターンの情報を取得する情報取得ステップと、
前記情報取得ステップにより取得された前記ユーザ操作のパターンの情報に基づき、前記撮像手段により撮像される被写体の撮影条件の変更を行う変更ステップと、
前記情報取得ステップによりユーザ操作のパターンを取得するための前記所定の箇所へのユーザ操作が解除されたか否かを判定する第１の判定ステップと、
前記第１の判定ステップにより前記ユーザ操作が解除されたと判定された場合、前記変更ステップにより変更された撮影条件で前記撮像手段により取得された画像データを記録手段に記録させる記録制御ステップと、
を備えたことを特徴とする撮像制御方法。
【請求項１７】
被写体を撮像し、画像データを取得する撮像手段と、記録手段と、を備える撮像装置を制御するコンピュータを、
本撮像装置に関連する所定の箇所へのユーザ操作のパターンの情報を取得する情報取得手段、
前記情報取得手段により取得された前記ユーザ操作のパターンの情報に基づき、前記撮像手段により撮像される被写体の撮影条件の変更を行う変更手段、
前記情報取得手段によりユーザ操作のパターンを取得するための前記所定の箇所へのユーザ操作が解除されたか否かを判定する第１の判定手段、
前記第１の判定手段により前記ユーザ操作が解除されたと判定された場合、前記変更手段により変更された撮影条件で前記撮像手段により取得された画像データを記録手段に記録させる記録制御手段、
として機能させることを特徴とするプログラム。